(57)【特許請求の範囲】
【請求項１】
間欠受信ＤＲＸパラメータの設定方法であって、
端末は様々なサービスのデータを検出したとき、前記端末のターゲットＤＲＸメカニズムのターゲットＤＲＸパラメータを決定することを含み、
前記端末は前記様々なサービスに対応するＤＲＸメカニズムのＤＲＸパラメータに基づいて、前記端末のターゲットＤＲＸメカニズムのターゲットＤＲＸパラメータを決定し、
前記端末が前記様々なサービスに対応するＤＲＸメカニズムのＤＲＸパラメータに基づいて、前記端末のターゲットＤＲＸメカニズムのターゲットＤＲＸパラメータを決定することは、
前記端末が前記様々なサービスに対応するＤＲＸメカニズムのＤＲＸパラメータのうちの最大値をターゲットＤＲＸメカニズムのターゲットＤＲＸパラメータとして決定すること、又は、
前記端末が前記様々なサービスのうちの優先度の最も高いサービスに対応するＤＲＸメカニズムのＤＲＸパラメータをターゲットＤＲＸメカニズムのターゲットＤＲＸパラメータとして決定することを含むことを特徴とする間欠受信ＤＲＸパラメータの設定方法。
【請求項２】
前記ターゲットＤＲＸパラメータはターゲットＤＲＸメカニズムの非アクティブタイマーＩｎａｃｔｉｖｉｔｙ  Ｔｉｍｅｒ時間長さ及び第１タイマー時間長さを含み、前記非アクティブタイマーＩｎａｃｔｉｖｉｔｙ  Ｔｉｍｅｒは前記端末が持続監視時間帯ｏｎ−ｄｕｒａｔｉｏｎ期間にダウンリンク制御チャネルを監視した際に起動することに用いられ、前記Ｉｎａｃｔｉｖｉｔｙ  Ｔｉｍｅｒ時間帯は前記端末がプリセットスリープ時間長さを監視周期とし、第１タイマー時間長さを監視時間長さとしてダウンリンク制御チャネルを周期的に監視することに用いられ、前記第１タイマーは前記端末が前記ｏｎ−ｄｕｒａｔｉｏｎ期間にダウンリンク制御チャネルを監視した際に起動することに用いられ、前記第１タイマー時間帯は前記端末が参照サービスのダウンリンク制御チャネルを監視した際に、前記参照サービスに対応するＤＲＸメカニズムの参照Ｉｎａｃｔｉｖｉｔｙ  Ｔｉｍｅｒ時間長さとして前記第１タイマー時間長さを延ばすことに用いられ、
前記端末が前記様々なサービスに対応するＤＲＸメカニズムのＤＲＸパラメータに基づいて、前記端末のターゲットＤＲＸメカニズムのターゲットＤＲＸパラメータを決定することは、
前記端末が前記様々なサービスに対応するＤＲＸメカニズムのＩｎａｃｔｉｖｉｔｙ  Ｔｉｍｅｒ時間長さのうちの最大値をターゲットＤＲＸメカニズムのＩｎａｃｔｉｖｉｔｙ  Ｔｉｍｅｒ時間長さとして決定し、前記様々なサービスに対応するＤＲＸメカニズムのＩｎａｃｔｉｖｉｔｙ  Ｔｉｍｅｒ時間長さのうちの最小値をターゲットＤＲＸメカニズムの第１タイマー時間長さとして決定すること、又は、
前記端末が前記様々なサービスに対応するＤＲＸメカニズムのＩｎａｃｔｉｖｉｔｙ  Ｔｉｍｅｒ時間長さのうちの最大値をターゲットＤＲＸメカニズムのＩｎａｃｔｉｖｉｔｙ  Ｔｉｍｅｒ時間長さとして決定し、前記様々なサービスのうちの優先度の最も高いサービスに対応するＤＲＸメカニズムのＩｎａｃｔｉｖｉｔｙ  Ｔｉｍｅｒ時間長さをターゲットＤＲＸメカニズムの第１タイマー時間長さとして決定することを含むことを特徴とする
請求項１に記載の方法。
【請求項３】
前記ターゲットＤＲＸパラメータがターゲットＤＲＸメカニズムの非アクティブタイマーＩｎａｃｔｉｖｉｔｙ  Ｔｉｍｅｒ時間長さであり、前記端末が前記様々なサービスに対応するＤＲＸメカニズムのＤＲＸパラメータに基づいて、前記端末のターゲットＤＲＸメカニズムのターゲットＤＲＸパラメータを決定することは、
前記端末が現在ＤＲＸメカニズムのｏｎ−ｄｕｒａｔｉｏｎ期間に最初にスケジューリングした参照サービスに対応するＤＲＸメカニズムのＩｎａｃｔｉｖｉｔｙ  Ｔｉｍｅｒ時間長さをターゲットＤＲＸメカニズムのＩｎａｃｔｉｖｉｔｙ  Ｔｉｍｅｒ時間長さとして決定することを含むことを特徴とする
請求項１に記載の方法。
【請求項４】
前記端末が前記端末のターゲットＤＲＸメカニズムのターゲットＤＲＸパラメータを決定することは、
前記端末がネットワーク側装置の送信したターゲットＤＲＸメカニズムのターゲットＤＲＸパラメータを受信して、前記端末のターゲットＤＲＸメカニズムのターゲットＤＲＸパラメータを決定することを含み、前記ターゲットＤＲＸパラメータは前記ネットワーク側装置が前記様々なサービスに対応するＤＲＸメカニズムのＤＲＸパラメータに基づいて決定されたものであることを特徴とする
請求項１に記載の方法。
【請求項５】
前記ターゲットＤＲＸパラメータが前記様々なサービスに対応するＤＲＸメカニズムのＤＲＸパラメータのうちの最大値であり、又は、
前記ターゲットＤＲＸパラメータが前記様々なサービスのうちの優先度の最も高いサービスに対応するＤＲＸメカニズムのＤＲＸパラメータであることを特徴とする
請求項４に記載の方法。
【請求項６】
前記ターゲットＤＲＸパラメータは、
ＤＲＸ周期Ｃｙｃｌｅ時間長さ、持続監視タイマーＯｎ  ｄｕｒａｔｉｏｎ  Ｔｉｍｅｒ時間長さ及び非アクティブタイマーＩｎａｃｔｉｖｉｔｙ  Ｔｉｍｅｒ時間長さのうちの少なくとも１つを含むことを特徴とする
請求項１又は５に記載の方法。
【請求項７】
前記ターゲットＤＲＸパラメータはターゲットＤＲＸメカニズムの非アクティブタイマーＩｎａｃｔｉｖｉｔｙ  Ｔｉｍｅｒ時間長さ及び第１タイマー時間長さを含み、前記非アクティブタイマーＩｎａｃｔｉｖｉｔｙ  Ｔｉｍｅｒは前記端末が持続監視時間帯ｏｎ−ｄｕｒａｔｉｏｎ期間にダウンリンク制御チャネルを監視した際に起動することに用いられ、前記Ｉｎａｃｔｉｖｉｔｙ  Ｔｉｍｅｒ時間帯は前記端末がプリセットスリープ時間長さを監視周期とし、第１タイマー時間長さを監視時間長さとしてダウンリンク制御チャネルを周期的に監視することに用いられ、前記第１タイマーは前記端末が前記ｏｎ−ｄｕｒａｔｉｏｎ期間にダウンリンク制御チャネルを監視した際に起動することに用いられ、前記第１タイマー時間帯は前記端末が参照サービスのダウンリンク制御チャネルを監視した際に、前記参照サービスに対応するＤＲＸメカニズムの参照Ｉｎａｃｔｉｖｉｔｙ  Ｔｉｍｅｒ時間長さとして前記第１タイマー時間長さを延ばすことに用いられ、
前記ターゲットＤＲＸメカニズムのＩｎａｃｔｉｖｉｔｙ  Ｔｉｍｅｒ時間長さが前記様々なサービスに対応するＤＲＸメカニズムのＩｎａｃｔｉｖｉｔｙ  Ｔｉｍｅｒ時間長さのうちの最大値であり、前記ターゲットＤＲＸメカニズムの第１タイマー時間長さが前記様々なサービスに対応するＤＲＸメカニズムのＩｎａｃｔｉｖｉｔｙ  Ｔｉｍｅｒ時間長さのうちの最小値であり、又は、
前記ターゲットＤＲＸメカニズムのＩｎａｃｔｉｖｉｔｙ  Ｔｉｍｅｒ時間長さが前記様々なサービスに対応するＤＲＸメカニズムのＩｎａｃｔｉｖｉｔｙ  Ｔｉｍｅｒ時間長さのうちの最大値であり、前記ターゲットＤＲＸメカニズムの第１タイマー時間長さが前記様々なサービスのうちの優先度の最も高いサービスに対応するＤＲＸメカニズムのＩｎａｃｔｉｖｉｔｙ  Ｔｉｍｅｒ時間長さであることを特徴とする
請求項１に記載の方法。
【請求項８】
前記ターゲットＤＲＸパラメータがターゲットＤＲＸメカニズムの非アクティブタイマーＩｎａｃｔｉｖｉｔｙ  Ｔｉｍｅｒ時間長さであり、
前記ターゲットＤＲＸメカニズムのＩｎａｃｔｉｖｉｔｙ  Ｔｉｍｅｒ時間長さは、ネットワーク側装置が現在ＤＲＸメカニズムのｏｎ−ｄｕｒａｔｉｏｎ期間に最初にスケジューリングした参照サービスに対応するＤＲＸメカニズムのＩｎａｃｔｉｖｉｔｙ  Ｔｉｍｅｒ時間長さであることを特徴とする
請求項１に記載の方法。
【請求項９】
前記様々なサービスは異なる論理チャネル、論理チャネル群又はデータ無線ベアラからのものであり、或いは、前記様々なサービスは異なるサービス品質フロー識別子ＱｏＳ−Ｆｌｏｗ−ＩＤを有することを特徴とする
請求項１−８のいずれか一項に記載の方法。
【請求項１０】
前記ターゲットＤＲＸメカニズムは、端末のダウンリンク制御チャネルの監視、スリープに用いられることを特徴とする
請求項１−９のいずれか一項に記載の方法。
【請求項１１】
前記ターゲットＤＲＸメカニズムはさらに、端末がダウンリンク制御チャネルを監視する時間帯内に様々なサービスのデータを受信することに用いられることを特徴とする  請求項１−１０のいずれか一項に記載の方法。
【請求項１２】
前記プリセットスリープ時間長さは、前記様々なサービスに対応するＤＲＸメカニズムのＩｎａｃｔｉｖｉｔｙ  Ｔｉｍｅｒ時間長さのうちの最小値より小さいことを特徴とする
請求項２に記載の方法。
【請求項１３】
端末であって、
プロセッサ、メモリ及び送受信機を備え、前記プロセッサが前記メモリ及び前記送受信機に通信接続され、
前記メモリにプログラムコード及びデータが記憶され、前記プロセッサは前記メモリにおける前記プログラムコード及び前記データを呼び出して、請求項１〜１２のいずれか１項に記載の方法を実行することに用いられることを特徴とする端末。
【発明の詳細な説明】
【技術分野】
【０００１】
本発明は通信技術分野に関し、特にパラメータの設定方法及び装置に関する。
【背景技術】
【０００２】
無線通信システムにおいて、端末の消費電力を節約するために、一般的にＤＲＸ（Ｄｉｓｃｏｎｔｉｎｕｏｕｓ  Ｒｅｃｅｐｔｉｏｎ、間欠受信）メカニズムを用いる。ＤＲＸメカニズムはロングタームエボリューション（ＬＴＥ：Ｌｏｎｇ  Ｔｅｒｍ  Ｅｖｏｌｕｔｉｏｎ）システムに用いた、端末の消費電力を減少させることを目的とする受信メカニズムである。それは端末受信アンテナが定期的に開閉するメカニズムを用いることにより、端末をアクティブとスリープとが交替する状態にすることで、周期的にウェイクアップして物理ダウンリンク制御チャネル  （ＰＤＣＣＨ：Ｐｈｙｓｉｃａｌ  Ｄｏｗｎｌｉｎｋ  Ｃｏｎｔｒｏｌ  Ｃｈａｎｎｅｌ）の監視操作を行い、ＰＤＣＣＨを持続的に監視する必要がなく、それによりＵＥ消費電力を減少させる目的を実現する。
【０００３】
図１は従来技術におけるＬＴＥシステムにおけるＤＲＸメカニズムの原理の模式図である。Ｏｎ  Ｄｕｒａｔｉｏｎ（持続監視時間帯）は端末がＰＤＣＣＨ信道を監視する時間帯を示し、該時間帯内にＵＥの無線周波数チャネルを起動して、ＰＤＣＣＨを連続的に監視し、Ｏｎ  Ｄｕｒａｔｉｏｎ以外の他の時間に、ＵＥがスリープ状態にあり、その無線周波数リンクが遮断されることにより、節電目的を実現する。Ｏｎ  Ｄｕｒａｔｉｏｎはいずれも周期的に発生し、具体的な周期はｅＮＢ（ｅｖｏｌｖｅｄ  Ｎｏｄｅ  Ｂ、発展型基地局）による設定によって実現される。端末の節電を実現するとともに、ｅＮＢと端末との間の通信遅延が長すぎることを避けるために、長周期（ｌｏｎｇ  ｃｙｃｌｅ）及び短周期（ｓｈｏｒｔ  ｃｙｃｌｅ）の概念を導入した。短周期において、Ｏｎ  ｄｕｒａｔｉｏｎの発生が長周期より頻繁である。長周期を設定するとともに、短周期を設定することを選択することにより、端末が制御チャネルを監視する時間を短縮し、データ伝送遅延を短縮することができる。ＤＲＸメカニズムを具体的に実現するために、ＬＴＥシステムに様々なタイマーを設計し、且つＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）プロセスと合わせて、ＤＲＸメカニズムにおける操作プロセスを提供し、関連するタイマーは、１、非アクティブタイマーＩｎａｃｔｉｖｉｔｙ  Ｔｉｍｅｒと、２、往復時間タイマーＲＴＴ  Ｔｉｍｅｒと、３、Ｒｅｔｒａｎｓｍｉｓｓｉｏｎ  Ｔｉｍｅｒ（再伝送タイマー）と、を含む。１、非アクティブタイマーＩｎａｃｔｉｖｉｔｙ  Ｔｉｍｅｒについて、端末がＯｎ  ｄｕｒａｔｉｏｎ期間にＨＡＲＱ初期伝送された制御シグナリングを受信した際に該タイマーを起動し、該タイマーがタイムアウトになる前に、端末が制御チャネルを連続的に監視し、Ｉｎａｃｔｉｖｉｔｙ  Ｔｉｍｅｒがタイムアウトになる前に、端末がＨＡＲＱ初期伝送された制御シグナリングを受信した場合、終了してＩｎａｃｔｉｖｉｔｙ  Ｔｉｍｅｒを再起動する。２、往復時間タイマーＲＴＴ  Ｔｉｍｅｒについて、ＤＬ（ダウンリンク）のみに適用され、端末がＨＡＲＱ再伝送された制御シグナリングを受信した場合、往復時間タイマーを起動し、対応するＨＡＲＱプロセスにおけるデータが前回ＨＡＲＱ伝送後に依然として復号に失敗した場合、ＲＴＴ  Ｔｉｍｅｒタイマーがタイムアウトになった後、端末が再伝送タイマーＲｅｔｒａｎｓｍｉｓｓｉｏｎ  Ｔｉｍｅｒを起動し、対応するＨＡＲＱプロセスにおけるデータが前回ＨＡＲＱ伝送後に復号に成功した場合、ＲＴＴ  Ｔｉｍｅｒタイマーがタイムアウトになった後、端末がＲｅｔｒａｎｓｍｉｓｓｉｏｎ  Ｔｉｍｅｒを起動しない。３、Ｒｅｔｒａｎｓｍｉｓｓｉｏｎ  Ｔｉｍｅｒ（再伝送タイマー）について、再伝送タイマー期間に、端末が制御チャネルを監視し、対応するＨＡＲＱプロセスの再伝送を待つ。
【０００４】
図２には従来技術におけるＤＲＸメカニズムにおける各タイマーの作用プロセスを示す。まずＯｎ  ｄｕｒａｔｉｏｎ  Ｔｉｍｅｒを起動し、Ｏｎ  ｄｕｒａｔｉｏｎ  Ｔｉｍｅｒの動作期間に、ｅＮＢがｔ１時刻にＤＬ初期伝送をスケジューリングし、すると、Ｉｎａｃｔｉｖｉｔｙ  Ｔｉｍｅｒが起動するとともに、ＨＡＲＱ  ＲＴＴ  Ｔｉｍｅｒが起動する。ｔ２時刻にＩｎａｃｔｉｖｉｔｙ  Ｔｉｍｅｒが真っ先ににタイムアウトになる。ｔ３時刻にＨＡＲＱ  ＲＴＴ  Ｔｉｍｅｒがタイムアウトになり、この時、ｔ１時刻の初期伝送に失敗した（端末が否定応答ＮＡＣＫをフィードバックする）ため、Ｒｅｔｒａｎｓｍｉｓｓｉｏｎ  Ｔｉｍｅｒを起動する。ｔ４時刻に、ｅＮＢが１回目の再伝送をスケジューリングし、すると、Ｒｅｔｒａｎｓｍｉｓｓｉｏｎ  Ｔｉｍｅｒが停止されるとともに、ＲＴＴ  Ｔｉｍｅｒを起動する。ｔ６時刻に、ＲＴＴ  Ｔｉｍｅｒがタイムアウトになり、且つ依然としてｔ４時刻の１回目の再伝送に失敗した（端末がＮＡＣＫをフィードバックする）ため、Ｒｅｔｒａｎｓｍｉｓｓｉｏｎ  Ｔｉｍｅｒを起動する。ｔ７時刻に、ｅＮＢが２回目の再伝送をスケジューリングし、Ｒｅｔｒａｎｓｍｉｓｓｉｏｎ  Ｔｉｍｅｒが停止されるとともに、ＲＴＴ  Ｔｉｍｅｒを起動する。２回目の再伝送に成功した（端末が確認応答ＡＣＫをフィードバックする）ため、ＲＴＴ  Ｔｉｍｅｒがタイムアウトになっても、Ｒｅｔｒａｎｓｍｉｓｓｉｏｎ  Ｔｉｍｅｒを起動しない。
【０００５】
第５世代（５Ｇ、５ｔｈ  Ｇｅｎｅｒａｔｉｏｎ）移動通信ネットワークにおけるＤＲＸメカニズムは様々なサービスをサポートでき、つまり、異なるサービスに対応するＤＲＸメカニズムの設定パラメータが異なり、マルチサービスが同時発生する場合に、どのように合理的なＤＲＸ設定パラメータを決定するかは５Ｇネットワークにおけるホットイシューである。
【発明の概要】
【発明が解決しようとする課題】
【０００６】
通信システムにおけるマルチサービスが同時発生するときの端末のＤＲＸパラメータの設定案を提供するために、本発明の実施例は間欠受信ＤＲＸパラメータの設定方法及び装置を提供する。
【課題を解決するための手段】
【０００７】
第１態様では、本発明の実施例は間欠受信ＤＲＸパラメータの設定方法を提供し、
端末が様々なサービスのデータを検出したとき、前記端末のターゲットＤＲＸメカニズムのターゲットＤＲＸパラメータを決定することを含む。
【０００８】
第２態様では、本発明の実施例は間欠受信ＤＲＸパラメータの設定方法を提供し、
ネットワーク側装置が前記端末の様々なサービスの伝送対象データを検出したとき、前記様々なサービスに対応するＤＲＸメカニズムのＤＲＸパラメータに基づいて、ターゲットＤＲＸメカニズムのターゲットＤＲＸパラメータを決定することと、
前記ネットワーク側装置が前記端末へ前記ターゲットＤＲＸパラメータを送信することと、を含む。
【０００９】
第３態様では、本発明の実施例は端末を提供し、該端末は上記方法設計における端末の挙動を実現する機能を有する。前記機能はハードウェアによって実現されてもよいし、ハードウェアが対応するソフトウェアを実行することにより実現されてもよい。前記ハードウェア又はソフトウェアは上記機能に対応する１つ又は複数のモジュールを備える。
【００１０】
可能な一設計では、端末はプロセッサを備え、前記プロセッサは端末が上記方法における対応する機能を実行することをサポートするように設定される。更に、端末は更に送受信機を備えてもよく、前記送受信機は端末とネットワーク側装置との通信をサポートすることに用いられる。更に、端末は更にメモリを備えてもよく、前記メモリはプロセッサに結合されることに用いられ、端末に必要なプログラム命令及びデータを保存する。
【００１１】
第４態様では、本発明の実施例はネットワーク側装置を提供し、該ネットワーク側装置は上記方法設計におけるネットワーク側装置の挙動を実現する機能を有する。前記機能はハードウェアによって実現されてもよいし、ハードウェアが対応するソフトウェアを実行することにより実現されてもよい。前記ハードウェア又はソフトウェアは上記機能に対応する１つ又は複数のモジュールを備える。
【００１２】
可能な一設計では、ネットワーク側装置はプロセッサを備え、前記プロセッサはネットワーク側装置が上記方法における対応する機能を実行することをサポートするように設定される。更に、ネットワーク側装置は更に送受信機を備えてもよく、前記送受信機はネットワーク側装置と端末との通信をサポートすることに用いられる。更に、ネットワーク側装置は更にメモリを備えてもよく、前記メモリはプロセッサに結合されることに用いられ、ネットワーク側装置に必要なプログラム命令及びデータを保存する。
【発明の効果】
【００１３】
従って、本発明の実施例はマルチサービスが共存するときのＤＲＸパラメータの設定方法を提供し、端末が様々なサービスのデータを検出したとき、端末のターゲットＤＲＸメカニズムのターゲットＤＲＸパラメータを決定し、該ターゲットＤＲＸメカニズムは端末のダウンリンク制御チャネルの監視、スリープ、及びダウンリンク制御チャネルを監視する時間帯内に様々なサービスのデータを受信することに用いられ、従って、本発明の実施例はマルチサービスが共存する際にＤＲＸメカニズムのＤＲＸパラメータを決定するという問題を解決した。
【図面の簡単な説明】
【００１４】
以下、実施例又は従来技術の記述において必要な図面について簡単に説明を行う。
【図１】図１は従来のＤＲＸメカニズムにおける長周期及び短周期の例示図である。
【図２】図２は従来のＤＲＸメカニズムのタイマー機能の模式図である。
【図３】図３は本発明の実施例に係る可能なネットワークアーキテクチャの模式図である。
【図４】図４は本発明の実施例に係る間欠受信ＤＲＸパラメータの設定方法の通信模式図である。
【図５】図５は本発明の実施例に係る他のＤＲＸパラメータの設定方法の通信模式図である。
【図６Ａ】図６Ａは本発明の実施例に係る３種のサービスが共存するときのＤＲＸメカニズムのＩｎａｃｔｉｖｉｔｙ  Ｔｉｍｅｒの機能模式図である。
【図６Ｂ】図６Ｂは本発明の実施例に係る他の３種のサービスが共存するときのＤＲＸメカニズムのＩｎａｃｔｉｖｉｔｙ  Ｔｉｍｅｒの機能模式図である。
【図７Ａ】図７Ａは本発明の実施例に係る端末の構造模式図である。
【図７Ｂ】図７Ｂは本発明の実施例に係る他の端末の構造模式図である。
【図８Ａ】図８Ａは本発明の実施例に係るネットワーク側装置の構造模式図である。
【図８Ｂ】図８Ｂは本発明の実施例に係る他のネットワーク側装置の構造模式図である。
【図９】図９は本発明の実施例に係る他の端末の構造模式図である。
【発明を実施するための形態】
【００１５】
以下、図面を参照しながら本発明の実施例の技術案を説明する。
【００１６】
図３に示すように、図３には本発明の実施例に係る可能なネットワークアーキテクチャを示す。該ネットワークアーキテクチャはネットワーク側装置及び端末を備え、端末がネットワーク側装置に係る移動通信ネットワークにアクセスするとき、端末とネットワーク側装置とが無線リンクを介して通信接続されてもよい。該ネットワーク側装置は例えば５Ｇネットワークにおける基地局であってもよい。本発明の実施例では、用語「ネットワーク」及び「システム」が常に交替に使用され、当業者ならその意味を理解できる。本発明の実施例に係る端末は無線通信機能を有する様々な携帯端末、車載装置、ウェアラブルデバイス、計算装置又は無線モデムに接続される他の処理装置、及び様々なタイプのユーザー装置（ＵＥ、Ｕｓｅｒ  Ｅｑｕｉｐｍｅｎｔ）、移動局（ＭＳ、Ｍｏｂｉｌｅ  Ｓｔａｔｉｏｎ）、端末装置（ｔｅｒｍｉｎａｌ  ｄｅｖｉｃｅ）等を含んでもよい。説明の都合上、以上に言及された装置は端末と総称される。
【００１７】
また、本発明の実施例に説明される間欠受信ＤＲＸメカニズムは、いずれもＲＲＣ（Ｒａｄｉｏ  Ｒｅｓｏｕｒｃｅ  Ｃｏｎｔｒｏｌ、無線リソース制御）接続状態におけるＤＲＸメカニズム（ＤＲＸ  ｉｎ  ＲＲＣ＿ＣＯＮＮＥＣＴＥＤ）を指す。
【００１８】
図４に示すように、図４には本発明の実施例に係る間欠受信ＤＲＸメカニズムのパラメータの設定方法を示し、ネットワーク側装置及び端末を備える移動通信ネットワークに適用され、前記ネットワーク側装置が前記端末に通信接続され、該方法は、具体的に、
端末が様々なサービスのデータを検出したとき、前記端末のターゲットＤＲＸメカニズムのターゲットＤＲＸパラメータを決定する４０１を含む。
【００１９】
前記様々なサービスのサービスタイプが異なり、該様々なサービスは例えば異なる論理チャネル／論理チャネル群／（Ｄａｔａ  Ｒａｄｉｏ  Ｂｅａｒｅｒ、データ無線ベアラ）からのものであってもよいし、異なるサービス品質フロー識別子ＱｏＳ−Ｆｌｏｗ−ＩＤ等を有してもよい。
【００２０】
従って、本発明の実施例はマルチサービスが共存するときのＤＲＸパラメータの設定方法を提供し、端末が様々なサービスのデータを検出したとき、端末のターゲットＤＲＸメカニズムのターゲットＤＲＸパラメータを決定し、該ターゲットＤＲＸメカニズムは端末のダウンリンク制御チャネルの監視、スリープ、及びダウンリンク制御チャネルを監視する時間帯内に様々なサービスのデータを受信することに用いられ、従って、本発明の実施例はマルチサービスが共存する際にＤＲＸメカニズムのＤＲＸパラメータを決定するという問題を解決した。
【００２１】
可能な一例では、前記端末が前記端末のターゲットＤＲＸメカニズムのターゲットＤＲＸパラメータを決定することは、
前記端末が前記様々なサービスに対応するＤＲＸメカニズムのＤＲＸパラメータに基づいて、前記端末のターゲットＤＲＸメカニズムのターゲットＤＲＸパラメータを決定することを含む。
【００２２】
本可能な例では、前記端末が前記様々なサービスに対応するＤＲＸメカニズムのＤＲＸパラメータに基づいて、前記端末のターゲットＤＲＸメカニズムのターゲットＤＲＸパラメータを決定することは、
前記端末が前記様々なサービスに対応するＤＲＸメカニズムのＤＲＸパラメータのうちの最大値をターゲットＤＲＸメカニズムのターゲットＤＲＸパラメータとして決定すること、又は、
前記端末が前記様々なサービスのうちの優先度の最も高いサービスに対応するＤＲＸメカニズムのＤＲＸパラメータをターゲットＤＲＸメカニズムのターゲットＤＲＸパラメータとして決定することを含む。
【００２３】
可能な一例では、前記ターゲットＤＲＸパラメータはターゲットＤＲＸメカニズムの非アクティブタイマーＩｎａｃｔｉｖｉｔｙ  Ｔｉｍｅｒ時間長さ及び第１タイマー時間長さを含み、前記非アクティブタイマーＩｎａｃｔｉｖｉｔｙ  Ｔｉｍｅｒは前記端末が持続監視時間帯ｏｎ−ｄｕｒａｔｉｏｎ期間にダウンリンク制御チャネルを監視した際に起動することに用いられ、前記Ｉｎａｃｔｉｖｉｔｙ  Ｔｉｍｅｒ時間帯は前記端末がプリセットスリープ時間長さを監視周期とし、第１タイマー時間長さを監視時間長さとしてダウンリンク制御チャネルを周期的に監視することに用いられ、前記第１タイマーは前記端末が前記ｏｎ−ｄｕｒａｔｉｏｎ期間にダウンリンク制御チャネルを監視した際に起動することに用いられ、前記第１タイマー時間帯は前記端末が参照サービスのダウンリンク制御チャネルを監視した際に、前記参照サービスに対応するＤＲＸメカニズムの参照Ｉｎａｃｔｉｖｉｔｙ  Ｔｉｍｅｒ時間長さとして前記第１タイマー時間長さを延ばすことに用いられ、
前記端末が前記様々なサービスに対応するＤＲＸメカニズムのＤＲＸパラメータに基づいて、前記端末のターゲットＤＲＸメカニズムのターゲットＤＲＸパラメータを決定することは、
前記端末が前記様々なサービスに対応するＤＲＸメカニズムのＩｎａｃｔｉｖｉｔｙ  Ｔｉｍｅｒ時間長さのうちの最大値をターゲットＤＲＸメカニズムのＩｎａｃｔｉｖｉｔｙ  Ｔｉｍｅｒ時間長さとして決定し、前記様々なサービスに対応するＤＲＸメカニズムのＩｎａｃｔｉｖｉｔｙ  Ｔｉｍｅｒ時間長さのうちの最小値をターゲットＤＲＸメカニズムの第１タイマー時間長さとして決定すること、又は、
前記端末が前記様々なサービスに対応するＤＲＸメカニズムのＩｎａｃｔｉｖｉｔｙ  Ｔｉｍｅｒ時間長さのうちの最大値をターゲットＤＲＸメカニズムのＩｎａｃｔｉｖｉｔｙ  Ｔｉｍｅｒ時間長さとして決定し、前記様々なサービスのうちの優先度の最も高いサービスに対応するＤＲＸメカニズムのＩｎａｃｔｉｖｉｔｙ  Ｔｉｍｅｒ時間長さをターゲットＤＲＸメカニズムの第１タイマー時間長さとして決定することを含む。
【００２４】
本可能な例では、前記プリセットスリープ時間長さが前記様々なサービスに対応するＤＲＸメカニズムのＩｎａｃｔｉｖｉｔｙ  Ｔｉｍｅｒ時間長さのうちの最小値より小さい。
【００２５】
プリセットスリープ時間長さを前記様々なサービスに対応するＤＲＸメカニズムのＩｎａｃｔｉｖｉｔｙ  Ｔｉｍｅｒ時間長さのうちの最小値より小さく設定することにより、様々なサービスのうちのいずれか１つのサービスに対応するＤＲＸメカニズムの非アクティブタイマー時間帯が完全にプリセットスリープ時間長さに対応する時間帯範囲内にあることがないように確保することができ、それにより該時間帯範囲内にある非アクティブタイマー時間帯に対応するサービスのデータを受信できないことを避ける。データ伝送の安定性の向上に役立つ。
【００２６】
可能な一例では、前記ターゲットＤＲＸパラメータがターゲットＤＲＸメカニズムの非アクティブタイマーＩｎａｃｔｉｖｉｔｙ  Ｔｉｍｅｒ時間長さであり、前記端末が前記様々なサービスに対応するＤＲＸメカニズムのＤＲＸパラメータに基づいて、前記端末のターゲットＤＲＸメカニズムのターゲットＤＲＸパラメータを決定することは、
前記端末が現在ＤＲＸメカニズムのｏｎ−ｄｕｒａｔｉｏｎ期間に最初にスケジューリングした参照サービスに対応するＤＲＸメカニズムのＩｎａｃｔｉｖｉｔｙ  Ｔｉｍｅｒ時間長さをターゲットＤＲＸメカニズムのＩｎａｃｔｉｖｉｔｙ  Ｔｉｍｅｒ時間長さとして決定することを含む。
【００２７】
可能な一例では、前記端末が前記端末のターゲットＤＲＸメカニズムのターゲットＤＲＸパラメータを決定することは、
前記端末がネットワーク側装置の送信したターゲットＤＲＸメカニズムのターゲットＤＲＸパラメータを受信して、前記端末のターゲットＤＲＸメカニズムのターゲットＤＲＸパラメータを決定することを含み、前記ターゲットＤＲＸパラメータは前記ネットワーク側装置が前記様々なサービスに対応するＤＲＸメカニズムのＤＲＸパラメータに基づいて決定されたものである。
【００２８】
可能な一例では、前記ターゲットＤＲＸパラメータが前記様々なサービスに対応するＤＲＸメカニズムのＤＲＸパラメータのうちの最大値であり、又は、前記ターゲットＤＲＸパラメータが前記様々なサービスのうちの優先度の最も高いサービスに対応するＤＲＸメカニズムのＤＲＸパラメータである。
【００２９】
可能な一例では、前記ターゲットＤＲＸパラメータはＤＲＸ周期Ｃｙｃｌｅ時間長さ、持続監視タイマーＯｎ  ｄｕｒａｔｉｏｎ  Ｔｉｍｅｒ時間長さ及び非アクティブタイマーＩｎａｃｔｉｖｉｔｙ  Ｔｉｍｅｒ時間長さのうちの少なくとも１つを含む。
【００３０】
なお、本発明の実施例に説明されるＤＲＸ  Ｃｙｃｌｅ時間長さは従来のＬＴＥシステムにおける長周期時間長さ及び短周期時間長さに限らず、他のタイプのＤＲＸ  Ｃｙｃｌｅ時間長さであってもよい。
【００３１】
可能な一例では、前記ターゲットＤＲＸパラメータはターゲットＤＲＸメカニズムの非アクティブタイマーＩｎａｃｔｉｖｉｔｙ  Ｔｉｍｅｒ時間長さ及び第１タイマー時間長さを含み、前記非アクティブタイマーＩｎａｃｔｉｖｉｔｙ  Ｔｉｍｅｒは前記端末が持続監視時間帯ｏｎ−ｄｕｒａｔｉｏｎ期間にダウンリンク制御チャネルを監視した際に起動することに用いられ、前記Ｉｎａｃｔｉｖｉｔｙ  Ｔｉｍｅｒ時間帯は前記端末がプリセットスリープ時間長さを監視周期とし、第１タイマー時間長さを監視時間長さとしてダウンリンク制御チャネルを周期的に監視することに用いられ、前記第１タイマーは前記端末が前記ｏｎ−ｄｕｒａｔｉｏｎ期間にダウンリンク制御チャネルを監視した際に起動することに用いられ、前記第１タイマー時間帯は前記端末が参照サービスのダウンリンク制御チャネルを監視した際に、前記参照サービスに対応するＤＲＸメカニズムの参照Ｉｎａｃｔｉｖｉｔｙ  Ｔｉｍｅｒ時間長さとして前記第１タイマー時間長さを延ばすことに用いられ、
前記ターゲットＤＲＸメカニズムのＩｎａｃｔｉｖｉｔｙ  Ｔｉｍｅｒ時間長さが前記様々なサービスに対応するＤＲＸメカニズムのＩｎａｃｔｉｖｉｔｙ  Ｔｉｍｅｒ時間長さのうちの最大値であり、前記ターゲットＤＲＸメカニズムの第１タイマー時間長さが前記様々なサービスに対応するＤＲＸメカニズムのＩｎａｃｔｉｖｉｔｙ  Ｔｉｍｅｒ時間長さのうちの最小値であり、又は、
前記ターゲットＤＲＸメカニズムのＩｎａｃｔｉｖｉｔｙ  Ｔｉｍｅｒ時間長さが前記様々なサービスに対応するＤＲＸメカニズムのＩｎａｃｔｉｖｉｔｙ  Ｔｉｍｅｒ時間長さのうちの最大値であり、前記ターゲットＤＲＸメカニズムの第１タイマー時間長さが前記様々なサービスのうちの優先度の最も高いサービスに対応するＤＲＸメカニズムのＩｎａｃｔｉｖｉｔｙ  Ｔｉｍｅｒ時間長さである。
【００３２】
可能な一例では、前記ターゲットＤＲＸパラメータがターゲットＤＲＸメカニズムの非アクティブタイマーＩｎａｃｔｉｖｉｔｙ  Ｔｉｍｅｒ時間長さであり、前記ターゲットＤＲＸメカニズムのＩｎａｃｔｉｖｉｔｙ  Ｔｉｍｅｒ時間長さは、ネットワーク側装置が現在ＤＲＸメカニズムのｏｎ−ｄｕｒａｔｉｏｎ期間に最初にスケジューリングした参照サービスに対応するＤＲＸメカニズムのＩｎａｃｔｉｖｉｔｙ  Ｔｉｍｅｒ時間長さである。
【００３３】
図５に示すように、図５には本発明の実施例に係る間欠受信ＤＲＸメカニズムのパラメータの設定方法を示し、ネットワーク側装置及び端末を備える移動通信ネットワークに適用され、前記ネットワーク側装置が前記端末に通信接続され、該方法はネットワーク側装置及び端末の面から説明し、該方法は５０１〜５０３を含む。具体的には、下記の通る。
【００３４】
５０１、ネットワーク側装置が前記端末の様々なサービスの伝送対象データを検出したとき、前記様々なサービスに対応するＤＲＸメカニズムのＤＲＸパラメータに基づいて、ターゲットＤＲＸメカニズムのターゲットＤＲＸパラメータを決定する。
【００３５】
可能な一例では、前記ネットワーク側装置が前記様々なサービスに対応するＤＲＸメカニズムのＤＲＸパラメータに基づいて、ターゲットＤＲＸメカニズムのターゲットＤＲＸパラメータを決定することは、
前記ネットワーク側装置が前記様々なサービスに対応するＤＲＸメカニズムのＤＲＸパラメータのうちの最大値をターゲットＤＲＸメカニズムのターゲットＤＲＸパラメータとして決定すること、又は、
前記ネットワーク側装置が前記様々なサービスのうちの優先度の最も高いサービスに対応するＤＲＸメカニズムのＤＲＸパラメータをターゲットＤＲＸメカニズムのターゲットＤＲＸパラメータとして決定することを含む。
【００３６】
本可能な例では、前記ターゲットＤＲＸパラメータはＤＲＸ周期Ｃｙｃｌｅ時間長さ、持続監視タイマーＯｎ  ｄｕｒａｔｉｏｎ  Ｔｉｍｅｒ時間長さ及び非アクティブタイマーＩｎａｃｔｉｖｉｔｙ  Ｔｉｍｅｒ時間長さのうちの少なくとも１つを含む。
【００３７】
可能な一例では、前記ターゲットＤＲＸパラメータはターゲットＤＲＸメカニズムの非アクティブタイマーＩｎａｃｔｉｖｉｔｙ  Ｔｉｍｅｒ時間長さ及び第１タイマー時間長さを含み、前記非アクティブタイマーＩｎａｃｔｉｖｉｔｙ  Ｔｉｍｅｒは前記端末が持続監視時間帯ｏｎ−ｄｕｒａｔｉｏｎ期間にダウンリンク制御チャネルを監視した際に起動することに用いられ、前記Ｉｎａｃｔｉｖｉｔｙ  Ｔｉｍｅｒ時間帯は前記端末がプリセットスリープ時間長さを監視周期とし、第１タイマー時間長さを監視時間長さとしてダウンリンク制御チャネルを周期的に監視することに用いられ、前記第１タイマーは前記端末が前記ｏｎ−ｄｕｒａｔｉｏｎ期間にダウンリンク制御チャネルを監視した際に起動することに用いられ、前記第１タイマー時間帯は前記端末が参照サービスのダウンリンク制御チャネルを監視した際に、前記参照サービスに対応するＤＲＸメカニズムの参照Ｉｎａｃｔｉｖｉｔｙ  Ｔｉｍｅｒ時間長さとして前記第１タイマー時間長さを延ばすことに用いられ、
前記ターゲットＤＲＸメカニズムのＩｎａｃｔｉｖｉｔｙ  Ｔｉｍｅｒ時間長さが前記様々なサービスに対応するＤＲＸメカニズムのＩｎａｃｔｉｖｉｔｙ  Ｔｉｍｅｒ時間長さのうちの最大値であり、前記ターゲットＤＲＸメカニズムの第１タイマー時間長さが前記様々なサービスに対応するＤＲＸメカニズムのＩｎａｃｔｉｖｉｔｙ  Ｔｉｍｅｒ時間長さのうちの最小値であり、又は、
前記ターゲットＤＲＸメカニズムのＩｎａｃｔｉｖｉｔｙ  Ｔｉｍｅｒ時間長さが前記様々なサービスに対応するＤＲＸメカニズムのＩｎａｃｔｉｖｉｔｙ  Ｔｉｍｅｒ時間長さのうちの最大値であり、前記ターゲットＤＲＸメカニズムの第１タイマー時間長さが前記様々なサービスのうちの優先度の最も高いサービスに対応するＤＲＸメカニズムのＩｎａｃｔｉｖｉｔｙ  Ｔｉｍｅｒ時間長さである。
【００３８】
可能な一例では、前記ターゲットＤＲＸパラメータはターゲットＤＲＸメカニズムの非アクティブタイマーＩｎａｃｔｉｖｉｔｙ  Ｔｉｍｅｒ時間長さであり、前記ターゲットＤＲＸメカニズムのＩｎａｃｔｉｖｉｔｙ  Ｔｉｍｅｒ時間長さはネットワーク側装置が現在ＤＲＸメカニズムのｏｎ−ｄｕｒａｔｉｏｎ期間に最初にスケジューリングした参照サービスに対応するＤＲＸメカニズムのＩｎａｃｔｉｖｉｔｙ  Ｔｉｍｅｒ時間長さである。
【００３９】
５０２、前記ネットワーク側装置は前記端末へ前記ターゲットＤＲＸパラメータを送信する。
【００４０】
５０３、前記端末はネットワーク側装置の送信したターゲットＤＲＸメカニズムのターゲットＤＲＸパラメータを受信し、前記端末のターゲットＤＲＸメカニズムのターゲットＤＲＸパラメータを決定し、前記ターゲットＤＲＸパラメータは前記ネットワーク側装置が前記様々なサービスに対応するＤＲＸメカニズムのＤＲＸパラメータに基づいて決定されたものである。
【００４１】
従って、本発明の実施例では、ネットワーク側装置が前記端末の様々なサービスの伝送対象データを検出したとき、前記様々なサービスに対応するＤＲＸメカニズムのＤＲＸパラメータに基づいてターゲットＤＲＸメカニズムのターゲットＤＲＸパラメータを決定して、端末へターゲットＤＲＸパラメータを送信し、端末が該ターゲットＤＲＸパラメータを受信し、端末のターゲットＤＲＸメカニズムのＤＲＸパラメータを前記ターゲットＤＲＸパラメータとして決定し、該ターゲットＤＲＸメカニズムは端末のダウンリンク制御チャネルの監視、スリープ、及びダウンリンク制御チャネルを監視する時間帯内に様々なサービスのデータを受信することに用いられ、従って、本発明の実施例はマルチサービスが共存する際にＤＲＸメカニズムのＤＲＸパラメータを決定するという問題を解決した。
【００４２】
以下、具体例を参照しながら本発明の実施例を説明する。
【００４３】
図６Ａに示すように、様々なサービスが第１サービス、第２サービス及び第３サービスを含み、且つ第１サービスに対応する第１ＤＲＸメカニズムの非アクティブタイマーＩｎａｃｔｉｖｉｔｙ  Ｔｉｍｅｒ時間長さがＴ１であり、第２サービスに対応する第２ＤＲＸメカニズムのＩｎａｃｔｉｖｉｔｙ  Ｔｉｍｅｒ時間長さがＴ２であり、第３サービスに対応する第３ＤＲＸメカニズムのＩｎａｃｔｉｖｉｔｙ  Ｔｉｍｅｒ時間長さがＴ３であり、且つＴ１＞Ｔ２＞Ｔ３であると仮定し、端末のターゲットＤＲＸメカニズムのターゲットＤＲＸパラメータがＩｎａｃｔｉｖｉｔｙ  Ｔｉｍｅｒ時間長さ及び第１タイマー時間長さであり、該Ｉｎａｃｔｉｖｉｔｙ  Ｔｉｍｅｒは端末が持続監視時間帯ｏｎ−ｄｕｒａｔｉｏｎ期間にダウンリンク制御チャネルを監視した際に起動することに用いられ、Ｉｎａｃｔｉｖｉｔｙ  Ｔｉｍｅｒ時間帯は端末がプリセットスリープ時間長さを監視周期長さとし、第１タイマー時間を監視時間としてダウンリンク制御チャネルを周期的に監視することに用いられ、第１タイマーは端末がｏｎ−ｄｕｒａｔｉｏｎ期間にダウンリンク制御チャネルを監視した際に起動することに用いられ、第１タイマー時間帯は端末が参照サービスのダウンリンク制御チャネルを監視した際に、参照サービスに対応するＤＲＸメカニズムの参照Ｉｎａｃｔｉｖｉｔｙ  Ｔｉｍｅｒ時間長さとして前記第１タイマー時間長さを延ばすことに用いられ、
端末が上記３種のサービスのデータを検出したとき、まずＴ１、Ｔ２、Ｔ３のうちの最大値Ｔ１をターゲットＤＲＸメカニズムのＩｎａｃｔｉｖｉｔｙ  Ｔｉｍｅｒ時間長さとして決定し、次に、Ｔ１、Ｔ２、Ｔ３のうちの最小値をターゲットＤＲＸメカニズムの第１タイマー時間長さとして決定する。
【００４４】
更に、端末はＴ１、Ｔ２、Ｔ３のうちの最小値をターゲットＤＲＸメカニズムの第１タイマー時間長さとして決定した後、更に以下の公式で監視周期であるプリセットスリープ時間長さを決定することができ、
（プリセットスリープ時間長さ＋第１タイマー時間長さ）＝Ｔ２。
【００４５】
更に、ネットワーク側装置は本例に説明される各第１タイマー時間帯内のみにダウンリンク制御チャネルを送信することができ、このように、ネットワーク側装置の送信した様々なサービスのうちのいずれか１つのサービスのデータが端末に受信されるように確保することができ、端末とネットワーク側装置とのデータ伝送の安定性及び精度の向上に役立つ。
【００４６】
図６Ｂに示すように、様々なサービスが第１サービス、第２サービス及び第３サービスを含み、第２サービスの優先度が第１サービスの優先度より大きく、第１サービスの優先度が第３サービスの優先度より大きく、且つ第１サービスに対応する第１ＤＲＸメカニズムの非アクティブタイマーＩｎａｃｔｉｖｉｔｙ  Ｔｉｍｅｒ時間長さがＴ１であり、第２サービスに対応する第２ＤＲＸメカニズムのＩｎａｃｔｉｖｉｔｙ  Ｔｉｍｅｒ時間長さがＴ２であり、第３サービスに対応する第３ＤＲＸメカニズムのＩｎａｃｔｉｖｉｔｙ  Ｔｉｍｅｒ時間長さがＴ３であり、且つＴ１＞Ｔ２＞Ｔ３であると仮定し、端末のターゲットＤＲＸメカニズムのターゲットＤＲＸパラメータがＩｎａｃｔｉｖｉｔｙ  Ｔｉｍｅｒ時間長さ及び第１タイマー時間長さであり、該Ｉｎａｃｔｉｖｉｔｙ  Ｔｉｍｅｒは端末が持続監視時間帯ｏｎ−ｄｕｒａｔｉｏｎ期間にダウンリンク制御チャネルを監視した際に起動することに用いられ、Ｉｎａｃｔｉｖｉｔｙ  Ｔｉｍｅｒ時間帯は端末がプリセットスリープ時間長さを監視周期長さとし、第１タイマー時間長さを監視時間長さとしてダウンリンク制御チャネルを周期的に監視することに用いられ、第１タイマーは端末がｏｎ−ｄｕｒａｔｉｏｎ期間にダウンリンク制御チャネルを監視した際に起動することに用いられ、第１タイマー時間帯は端末が参照サービスのダウンリンク制御チャネルを監視した際に、参照サービスに対応するＤＲＸメカニズムの参照Ｉｎａｃｔｉｖｉｔｙ  Ｔｉｍｅｒ時間長さとして前記第１タイマー時間長さを延ばすことに用いられ、
端末が上記３種のサービスのデータを検出したとき、まずＴ１、Ｔ２、Ｔ３のうちの最大値Ｔ１をターゲットＤＲＸメカニズムのＩｎａｃｔｉｖｉｔｙ  Ｔｉｍｅｒ時間長さとして決定し、次に、優先度の最も高い第２サービスに対応する第２ＤＲＸメカニズムのＩｎａｃｔｉｖｉｔｙ  Ｔｉｍｅｒ時間長さＴ２を第１タイマー時間長さとして決定する。
【００４７】
更に、端末は優先度の最も高い第２サービスに対応する第２ＤＲＸメカニズムのＩｎａｃｔｉｖｉｔｙ  Ｔｉｍｅｒ時間長さＴ２を第１タイマー時間長さとして決定した後、更に以下の公式で監視周期であるプリセットスリープ時間長さを決定することができ、
（プリセットスリープ時間長さ＋第１タイマー時間長さ）＊ｎ＝Ｔ１、ｎが正の整数である。
【００４８】
以上は主に各ネットワーク要素同士のインタラクションの面から本発明の実施例の案を説明した。上記機能を実現するために、端末及びネットワーク側装置には各機能を実行する対応のハードウェア構造及び／又はソフトウェアモジュールが含まれると理解される。当業者であれば、本明細書に開示される実施例を参照して説明した各例のユニット及びアルゴリズムステップと合わせて、本発明はハードウェア又はハードウェア及びコンピュータソフトウェアを組み合わせた形式で実現できると容易に理解される。ある機能をハードウェアそれともコンピュータソフトウェアでハードウェアを駆動する方式で実行するかは、技術案の特定応用及び設計制約条件によって決定される。当業者は各特定応用に対して異なる方法で説明される機能を実現することができるが、このような実現は本発明の範囲を超えると見なされるべきではない。
【００４９】
本発明の実施例において、上記方法例に基づいて端末及びネットワーク側装置に対して機能ユニット上の区画を行うことができ、例えば、各機能に対応して各機能ユニットを区画してもよいし、２つ又は２つ以上の機能を１つの処理ユニットに統合してもよい。上記統合されたユニットはハードウェアの形式で実現されてもよいし、ソフトウェア機能ユニットの形式で実現されてもよい。なお、本発明の実施例において、ユニットの区画は模式的なものであって、論理機能上の区画に過ぎず、実際に実現するとき、他の区画方式を用いてもよい。
【００５０】
統合されたユニットを用いる場合、図７Ａには上記実施例に係る第１コアネットワーク装置の可能な構造模式図を示す。端末７００は処理ユニット７０２及び通信ユニット７０３を備える。処理ユニット７０２は端末の動作を制御管理することに用いられ、例えば、処理ユニット７０２は端末が図４におけるステップ４０１、図５におけるステップ５０３及び／又は本明細書に説明される技術における他のプロセスを実行することをサポートすることに用いられる。通信ユニット７０３は端末と他の装置との通信、例えば図１に示すネットワーク側装置との通信をサポートすることに用いられる。端末は更に端末のプログラムコード及びデータを記憶するための記憶ユニット７０１を備えてもよい。
【００５１】
本発明の実施例において、上記方法例に基づいて端末及びネットワーク側装置に対して機能ユニット上の区画を行うことができ、例えば、各機能に対応して各機能ユニットを区画してもよいし、２つ又は２つ以上の機能を１つの処理ユニットに統合してもよい。上記統合されたユニットはハードウェアの形式で実現されてもよいし、ソフトウェア機能ユニットの形式で実現されてもよい。なお、本発明の実施例において、ユニットの区画は模式的なものであって、論理機能上の区画に過ぎず、実際に実現するとき、他の区画方式を用いてもよい。
統合されたユニットを用いる場合、図７Ａには上記実施例に係る端末の可能な構造模式図を示す。端末７００は処理ユニット７０２及び通信ユニット７０３を備える。処理ユニット７０２は端末の動作を制御管理することに用いられ、例えば、処理ユニット７０２は端末が図４におけるステップ４０１、図５におけるステップ５０３及び／又は本明細書に説明される技術における他のプロセスを実行することをサポートすることに用いられる。通信ユニット７０３は端末と他の装置との通信、例えば図１に示すネットワーク側装置との通信をサポートすることに用いられる。端末は更に端末のプログラムコード及びデータを記憶するための記憶ユニット７０１を備えてもよい。
【００５２】
処理ユニット７０２がプロセッサであり、通信ユニット７０３が通信インターフェースであり、記憶ユニット７０１がメモリである場合、本発明の実施例に係る端末は図４Ｂに示す端末であってもよい。
【００５３】
処理ユニット７０２がプロセッサであり、通信ユニット７０３が送受信機であり、記憶ユニット７０１がメモリである場合、本発明の実施例に係る端末は図７Ｂに示す端末であってもよい。
【００５４】
図７Ｂに示すように、該端末７１０はプロセッサ７１２、送受信機７１３、メモリ７１１を備える。選択肢として、端末７１０は更にバス７１４を備えてもよい。送受信機７１３、プロセッサ７１２及びメモリ７１１はバス７１４を介して互いに接続されてもよく、バス７１４はペリフェラルコンポーネントインターコネクト（ＰＣＩ：Ｐｅｒｉｐｈｅｒａｌ  Ｃｏｍｐｏｎｅｎｔ  Ｉｎｔｅｒｃｏｎｎｅｃｔ）バス又は拡張インダストリスタンダードアーキテクチャ（ＥＩＳＡ：Ｅｘｔｅｎｄｅｄ  Ｉｎｄｕｓｔｒｙ  Ｓｔａｎｄａｒｄ  Ａｒｃｈｉｔｅｃｔｕｒｅ）バス等であってもよい。前記バス７１４はアドレスバス、データバス、制御バス等に分けられてもよい。示しやすくするために、図７Ｂに１本のみの太線で示すが、１本のみのバス又は１つのみのタイプのバスがあるわけではない。
【００５５】
可能な一例では、前記処理ユニット７０２は、具体的に、前記様々なサービスに対応するＤＲＸメカニズムのＤＲＸパラメータに基づいてターゲットＤＲＸメカニズムのターゲットＤＲＸパラメータを決定することに用いられる。
【００５６】
可能な一例では、前記処理ユニット７０２は、具体的に、前記様々なサービスに対応するＤＲＸメカニズムのＤＲＸパラメータに基づいてターゲットＤＲＸメカニズムのターゲットＤＲＸパラメータを決定することに用いられる。
【００５７】
可能な一例では、前記処理ユニット７０２は、具体的に、前記様々なサービスに対応するＤＲＸメカニズムのＤＲＸパラメータのうちの最大値をターゲットＤＲＸメカニズムのターゲットＤＲＸパラメータとして決定すること、又は、前記様々なサービスのうちの優先度の最も高いサービスに対応するＤＲＸメカニズムのＤＲＸパラメータをターゲットＤＲＸメカニズムのターゲットＤＲＸパラメータとして決定することに用いられる。
【００５８】
可能な一例では、前記ターゲットＤＲＸパラメータはターゲットＤＲＸメカニズムの非アクティブタイマーＩｎａｃｔｉｖｉｔｙ  Ｔｉｍｅｒ時間長さ及び第１タイマー時間長さを含み、前記非アクティブタイマーＩｎａｃｔｉｖｉｔｙ  Ｔｉｍｅｒは前記端末が持続監視時間帯ｏｎ−ｄｕｒａｔｉｏｎ期間にダウンリンク制御チャネルを監視した際に起動することに用いられ、前記Ｉｎａｃｔｉｖｉｔｙ  Ｔｉｍｅｒ時間帯は前記端末がプリセットスリープ時間長さを監視周期とし、第１タイマー時間長さを監視時間長さとしてダウンリンク制御チャネルを周期的に監視することに用いられ、前記第１タイマーは前記端末が前記ｏｎ−ｄｕｒａｔｉｏｎ期間にダウンリンク制御チャネルを監視した際に起動することに用いられ、前記第１タイマー時間帯は前記端末が参照サービスのダウンリンク制御チャネルを監視した際に、前記参照サービスに対応するＤＲＸメカニズムの参照Ｉｎａｃｔｉｖｉｔｙ  Ｔｉｍｅｒ時間長さとして前記第１タイマー時間長さを延ばすことに用いられ、前記処理ユニット７０２は、具体的に、
前記様々なサービスに対応するＤＲＸメカニズムのＩｎａｃｔｉｖｉｔｙ  Ｔｉｍｅｒ時間長さのうちの最大値をターゲットＤＲＸメカニズムのＩｎａｃｔｉｖｉｔｙ  Ｔｉｍｅｒ時間長さとして決定し、前記様々なサービスに対応するＤＲＸメカニズムのＩｎａｃｔｉｖｉｔｙ  Ｔｉｍｅｒ時間長さのうちの最小値をターゲットＤＲＸメカニズムの第１タイマー時間長さとして決定すること、又は、
前記様々なサービスに対応するＤＲＸメカニズムのＩｎａｃｔｉｖｉｔｙ  Ｔｉｍｅｒ時間長さのうちの最大値をターゲットＤＲＸメカニズムのＩｎａｃｔｉｖｉｔｙ  Ｔｉｍｅｒ時間長さとして決定し、前記様々なサービスのうちの優先度の最も高いサービスに対応するＤＲＸメカニズムのＩｎａｃｔｉｖｉｔｙ  Ｔｉｍｅｒ時間長さをターゲットＤＲＸメカニズムの第１タイマー時間長さとして決定することに用いられる。
【００５９】
可能な一例では、前記ターゲットＤＲＸパラメータがターゲットＤＲＸメカニズムの非アクティブタイマーＩｎａｃｔｉｖｉｔｙ  Ｔｉｍｅｒ時間長さであり、前記処理ユニット７０２は、具体的に、
現在ＤＲＸメカニズムのｏｎ−ｄｕｒａｔｉｏｎ期間に最初にスケジューリングした参照サービスに対応するＤＲＸメカニズムのＩｎａｃｔｉｖｉｔｙ  Ｔｉｍｅｒ時間長さをターゲットＤＲＸメカニズムのＩｎａｃｔｉｖｉｔｙ  Ｔｉｍｅｒ時間長さとして決定することに用いられる。
【００６０】
可能な一例では、前記端末は更に通信ユニット７０３を備え、前記処理ユニット７０２は、具体的に、前記通信ユニット７０３がネットワーク側装置の送信したターゲットＤＲＸメカニズムのターゲットＤＲＸパラメータを受信することにより、前記ターゲットＤＲＸメカニズムのターゲットＤＲＸパラメータを決定することに用いられ、前記ターゲットＤＲＸパラメータは前記ネットワーク側装置が前記様々なサービスに対応するＤＲＸメカニズムのＤＲＸパラメータに基づいて決定されたものである。
【００６１】
可能な一例では、前記ターゲットＤＲＸパラメータは少なくとも、
ＤＲＸ周期Ｃｙｃｌｅ時間長さ、持続監視タイマーＯｎ  ｄｕｒａｔｉｏｎ  Ｔｉｍｅｒ時間長さ及び非アクティブタイマーＩｎａｃｔｉｖｉｔｙ  Ｔｉｍｅｒ時間長さのうちの少なくとも１つを含む。
【００６２】
可能な一例では、前記ターゲットＤＲＸパラメータはターゲットＤＲＸメカニズムの非アクティブタイマーＩｎａｃｔｉｖｉｔｙ  Ｔｉｍｅｒ時間長さ及び第１タイマー時間長さを含み、前記非アクティブタイマーＩｎａｃｔｉｖｉｔｙ  Ｔｉｍｅｒは前記端末が持続監視時間帯ｏｎ−ｄｕｒａｔｉｏｎ期間にダウンリンク制御チャネルを監視した際に起動することに用いられ、前記Ｉｎａｃｔｉｖｉｔｙ  Ｔｉｍｅｒ時間帯は前記端末がプリセットスリープ時間長さを監視周期とし、第１タイマー時間長さを監視時間長さとしてダウンリンク制御チャネルを周期的に監視することに用いられ、前記第１タイマーは前記端末が前記ｏｎ−ｄｕｒａｔｉｏｎ期間にダウンリンク制御チャネルを監視した際に起動することに用いられ、前記第１タイマー時間帯は前記端末が参照サービスのダウンリンク制御チャネルを監視した際に、前記参照サービスに対応するＤＲＸメカニズムの参照Ｉｎａｃｔｉｖｉｔｙ  Ｔｉｍｅｒ時間長さとして前記第１タイマー時間長さを延ばすことに用いられ、
前記ターゲットＤＲＸメカニズムのＩｎａｃｔｉｖｉｔｙ  Ｔｉｍｅｒ時間長さが前記様々なサービスに対応するＤＲＸメカニズムのＩｎａｃｔｉｖｉｔｙ  Ｔｉｍｅｒ時間長さのうちの最大値であり、前記ターゲットＤＲＸメカニズムの第１タイマー時間長さが前記様々なサービスに対応するＤＲＸメカニズムのＩｎａｃｔｉｖｉｔｙ  Ｔｉｍｅｒ時間長さのうちの最小値であり、又は、
前記ターゲットＤＲＸメカニズムのＩｎａｃｔｉｖｉｔｙ  Ｔｉｍｅｒ時間長さが前記様々なサービスに対応するＤＲＸメカニズムのＩｎａｃｔｉｖｉｔｙ  Ｔｉｍｅｒ時間長さのうちの最大値であり、前記ターゲットＤＲＸメカニズムの第１タイマー時間長さが前記様々なサービスのうちの優先度の最も高いサービスに対応するＤＲＸメカニズムのＩｎａｃｔｉｖｉｔｙ  Ｔｉｍｅｒ時間長さである。
【００６３】
可能な一例では、前記ターゲットＤＲＸパラメータがターゲットＤＲＸメカニズムの非アクティブタイマーＩｎａｃｔｉｖｉｔｙ  Ｔｉｍｅｒ時間長さであり、
前記ターゲットＤＲＸメカニズムのＩｎａｃｔｉｖｉｔｙ  Ｔｉｍｅｒ時間長さは、ネットワーク側装置が現在ＤＲＸメカニズムのｏｎ−ｄｕｒａｔｉｏｎ期間に最初にスケジューリングした参照サービスに対応するＤＲＸメカニズムのＩｎａｃｔｉｖｉｔｙ  Ｔｉｍｅｒ時間長さである。
【００６４】
上記図７Ａ又は図７Ｂに示す端末が端末用の装置であると理解されてもよく、本発明の実施例は制限しない。
【００６５】
統合されたユニットを用いる場合、図８Ａには上記実施例に係る第１コアネットワーク装置の可能な構造模式図を示す。ネットワーク側装置８００は処理ユニット８０２及び通信ユニット８０３を備える。処理ユニット８０２はネットワーク側装置の動作を制御管理することに用いられ、例えば、処理ユニット８０２はネットワーク側装置が図５におけるステップ５０１、５０２及び／又は本明細書に説明される技術における他のプロセスを実行することをサポートすることに用いられる。通信ユニット８０３はネットワーク側装置と他の装置との通信、例えば図１に示す端末との通信をサポートすることに用いられる。ネットワーク側装置は更にネットワーク側装置のプログラムコード及びデータを記憶するための記憶ユニット８０１を備えてもよい。
【００６６】
処理ユニット８０２はプロセッサ又はコントローラであってもよく、例えば中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はその任意の組み合わせであってもよい。それは本発明に開示される内容を参照して説明した様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい。通信ユニット８０３は送受信機、送受信回路等であってもよく、記憶ユニット８０１はメモリであってもよい。
【００６７】
前記処理ユニット８０２は、前記端末の様々なサービスの伝送対象データを検出したとき、前記様々なサービスに対応するＤＲＸメカニズムのＤＲＸパラメータに基づいてターゲットＤＲＸメカニズムのターゲットＤＲＸパラメータを決定することに用いられ、更に、前記通信ユニット８０３によって前記端末へ前記ターゲットＤＲＸパラメータを送信することに用いられる。
【００６８】
可能な一例では、前記処理ユニット８０２は、具体的に、
前記様々なサービスに対応するＤＲＸメカニズムのＤＲＸパラメータのうちの最大値をターゲットＤＲＸメカニズムのターゲットＤＲＸパラメータとして決定すること、又は、
前記様々なサービスのうちの優先度の最も高いサービスに対応するＤＲＸメカニズムのＤＲＸパラメータをターゲットＤＲＸメカニズムのターゲットＤＲＸパラメータとして決定することに用いられる。
【００６９】
可能な一例では、前記ターゲットＤＲＸパラメータは少なくとも、
ＤＲＸ周期Ｃｙｃｌｅ時間長さ、持続監視タイマーＯｎ  ｄｕｒａｔｉｏｎ  Ｔｉｍｅｒ時間長さ及び非アクティブタイマーＩｎａｃｔｉｖｉｔｙ  Ｔｉｍｅｒ時間長さのうちの少なくとも１つを含む。
【００７０】
可能な一例では、前記ターゲットＤＲＸパラメータはターゲットＤＲＸメカニズムの非アクティブタイマーＩｎａｃｔｉｖｉｔｙ  Ｔｉｍｅｒ時間長さ及び第１タイマー時間長さを含み、前記非アクティブタイマーＩｎａｃｔｉｖｉｔｙ  Ｔｉｍｅｒは前記端末が持続監視時間帯ｏｎ−ｄｕｒａｔｉｏｎ期間にダウンリンク制御チャネルを監視した際に起動することに用いられ、前記Ｉｎａｃｔｉｖｉｔｙ  Ｔｉｍｅｒ時間帯は前記端末がプリセットスリープ時間長さを監視周期とし、第１タイマー時間長さを監視時間長さとしてダウンリンク制御チャネルを周期的に監視することに用いられ、前記第１タイマーは前記端末が前記ｏｎ−ｄｕｒａｔｉｏｎ期間にダウンリンク制御チャネルを監視した際に起動することに用いられ、前記第１タイマー時間帯は前記端末が参照サービスのダウンリンク制御チャネルを監視した際に、前記参照サービスに対応するＤＲＸメカニズムの参照Ｉｎａｃｔｉｖｉｔｙ  Ｔｉｍｅｒ時間長さとして前記第１タイマー時間長さを延ばすことに用いられ、前記処理ユニット８０２は、具体的に、
前記様々なサービスに対応するＤＲＸメカニズムのＩｎａｃｔｉｖｉｔｙ  Ｔｉｍｅｒ時間長さのうちの最大値をターゲットＤＲＸメカニズムのＩｎａｃｔｉｖｉｔｙ  Ｔｉｍｅｒ時間長さとして決定し、前記様々なサービスに対応するＤＲＸメカニズムのＩｎａｃｔｉｖｉｔｙ  Ｔｉｍｅｒ時間長さのうちの最小値をターゲットＤＲＸメカニズムの第１タイマー時間長さとして決定すること、又は、
前記様々なサービスに対応するＤＲＸメカニズムのＩｎａｃｔｉｖｉｔｙ  Ｔｉｍｅｒ時間長さのうちの最大値をターゲットＤＲＸメカニズムのＩｎａｃｔｉｖｉｔｙ  Ｔｉｍｅｒ時間長さとして決定し、前記様々なサービスのうちの優先度の最も高いサービスに対応するＤＲＸメカニズムのＩｎａｃｔｉｖｉｔｙ  Ｔｉｍｅｒ時間長さをターゲットＤＲＸメカニズムの第１タイマー時間長さとして決定することに用いられる。
【００７１】
可能な一例では、前記ターゲットＤＲＸパラメータがターゲットＤＲＸメカニズムの非アクティブタイマーＩｎａｃｔｉｖｉｔｙ  Ｔｉｍｅｒ時間長さであり、前記処理ユニット８０２は、具体的に、
前記現在ＤＲＸメカニズムのｏｎ−ｄｕｒａｔｉｏｎ期間に最初にスケジューリングした参照サービスに対応するＤＲＸメカニズムのＩｎａｃｔｉｖｉｔｙ  Ｔｉｍｅｒ時間長さをターゲットＤＲＸメカニズムのＩｎａｃｔｉｖｉｔｙ  Ｔｉｍｅｒ時間長さとして決定することに用いられる。
【００７２】
処理ユニット８０２がプロセッサであり、通信ユニット８０３が通信インターフェースであり、記憶ユニット８０１がメモリである場合、本発明の実施例に係るネットワーク側装置は図８Ｂに示すネットワーク側装置であってもよい。
【００７３】
処理ユニット８０２がプロセッサであり、通信ユニット８０３が送受信機であり、記憶ユニット８０１がメモリである場合、本発明の実施例に係るネットワーク側装置は図８Ｂに示すネットワーク側装置であってもよい。
【００７４】
図８Ｂに示すように、該ネットワーク側装置８１０はプロセッサ８１２、送受信機８１３、メモリ８１１を備える。選択肢として、ネットワーク側装置８１０は更にバス８１４を備えてもよい。送受信機８１３、プロセッサ８１２及びメモリ８１１はバス８１４を介して互いに接続されてもよく、バス８１４はペリフェラルコンポーネントインターコネクト（ＰＣＩ：Ｐｅｒｉｐｈｅｒａｌ  Ｃｏｍｐｏｎｅｎｔ  Ｉｎｔｅｒｃｏｎｎｅｃｔ）バス又は拡張インダストリスタンダードアーキテクチャ（ＥＩＳＡ：Ｅｘｔｅｎｄｅｄ  Ｉｎｄｕｓｔｒｙ  Ｓｔａｎｄａｒｄ  Ａｒｃｈｉｔｅｃｔｕｒｅ）バス等であってもよい。前記バス８１４はアドレスバス、データバス、制御バス等に分けられてもよい。示しやすくするために、図８Ｂに１本のみの太線で示すが、１本のみのバス又は１つのみのタイプのバスがあるわけではない。
【００７５】
本発明の実施例は更に他の端末を提供し、図９に示すように、説明の都合上、本発明の実施例に関わる部分のみを示すが、具体的な技術的詳細を示さず、本発明の実施例の方法部分を参照してもよい。該端末は携帯電話、タブレットＰＣ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売端末）、車載コンピュータ等の任意の端末装置であってもよく、端末が携帯電話である場合を例とする。
【００７６】
図９には本発明の実施例に係る端末に関連する携帯電話の構造の一部のブロック図を示す。図９に示すように、携帯電話は無線周波数（ＲＦ：Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（ＷｉＦｉ：Ｗｉｒｅｌｅｓｓ  Ｆｉｄｅｌｉｔｙ）モジュール９７０、プロセッサ９８０及び電源９９０等の部材を備える。当業者であれば、図９に示す携帯電話の構造が携帯電話を制限するためのものではなく、図示より多く又は少ない部材を備え、又はいくつかの部材を組み合わせ、又は異なる部材を配置してもよいと理解できる。
【００７７】
以下、図９を参照しながら携帯電話の各構成部材を具体的に説明する。
【００７８】
ＲＦ回路９１０は情報の受信及び送信に用いられてもよい。一般的に、ＲＦ回路９１０はアンテナ、少なくとも１つの増幅器、送受信機、結合器、低雑音増幅器（ＬＮＡ：Ｌｏｗ  Ｎｏｉｓｅ  Ａｍｐｌｉｆｉｅｒ）、デュプレクサ等を含むが、それらに限らない。また、ＲＦ回路９１０は更に無線通信経由でネットワーク及び他の装置と通信できる。上記無線通信はいずれか通信規格又はプロトコルを利用してもよく、モバイル通信用グローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ：Ｌｏｎｇ  Ｔｅｒｍ  Ｅｖｏｌｕｔｉｏｎ）、電子メール、ショートメッセージサービス（ＳＭＳ：Ｓｈｏｒｔ  Ｍｅｓｓａｇｉｎｇ  Ｓｅｒｖｉｃｅ）等を含むが、それらに限らない。
【００７９】
メモリ９２０はソフトウェアプログラム及びモジュールを記憶することに用いられてもよく、プロセッサ９８０はメモリ９２０に記憶されるソフトウェアプログラム及びモジュールを実行することにより、携帯電話の様々な機能アプリケーション及びデータ処理を実行する。メモリ９２０は主にプログラム記憶領域及びデータ記憶領域を含んでもよく、プログラム記憶領域はオペレーティングシステム、少なくとも１つの機能に必要なアプリケーション等を記憶することができ、データ記憶領域は携帯電話の使用によって新規作成されたデータ等を記憶することができる。また、メモリ９２０は高速ランダムアクセスメモリを含んでもよく、更に不揮発性メモリ、例えば少なくとも１つのディスクメモリデバイス、フラッシュメモリデバイス、又は他の揮発性固体メモリデバイスを含んでもよい。
【００８０】
入力ユニット９３０は入力された数字又は文字情報を受信し、携帯電話のユーザー設定及び機能制御に関連するキー信号入力を生成することに用いられてもよい。具体的に、入力ユニット９３０は指紋認識モジュール９３１及び他の入力装置９３２を備えてもよい。指紋認識モジュール９３１はユーザーのその上の指紋データを収集することができる。指紋認識モジュール９３１以外、入力ユニット９３０は更に他の入力装置９３２を備えてもよい。具体的に、他の入力装置９３２はタッチパネル、物理キーボード、機能キー（例えば音量制御キー、スイッチキー等）、トラックボール、マウス、操作レバー等のうちの１つ又は複数を含んでもよいが、それらに限らない。
【００８１】
表示ユニット９４０はユーザーの入力した情報又はユーザーに提供した情報及び携帯電話の様々なメニューを表示することに用いられてもよい。表示ユニット９４０はディスプレイ９４１を含んでもよく、選択肢として、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）等の形式でディスプレイ９４１を設定してもよい。図９では、指紋認識モジュール９３１及びディスプレイ９４１が２つの独立した部材として携帯電話の入力及び入力機能を実現するが、いくつかの実施例では、指紋認識モジュール９３１をディスプレイ９４１と統合して携帯電話の入力及び再生機能を実現することができる。
【００８２】
表示ユニット９４０はユーザーの入力した情報又はユーザーに提供した情報及び携帯電話の様々なメニューを表示することに用いられてもよい。表示ユニット９４０はディスプレイ９４１を含んでもよく、選択肢として、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）等の形式でディスプレイ９４１を設定してもよい。図９では、指紋認識モジュール９３１及びディスプレイ９４１が２つの独立した部材として携帯電話の入力及び出力機能を実現するが、いくつかの実施例では、指紋認識モジュール９３１をディスプレイ９４１と統合して携帯電話の入力及び再生機能を実現することができる。
【００８３】
オーディオ回路９６０、拡声器９６１、マイクロフォン９６２はユーザーと携帯電話との間のオーディオインターフェースを提供することができる。オーディオ回路９６０は受信したオーディオデータを電気信号に変換して、拡声器９６１に伝送し、拡声器９６１によって音声信号に変換して再生することができる一方、マイクロフォン９６２は収集した音声信号を電気信号に変換して、オーディオ回路９６０によって受信してからオーディオデータに変換し、更にオーディオデータを再生してプロセッサ９８０によって処理した後、ＲＦ回路９１０によって他の携帯電話に送信し、又はオーディオデータをメモリ９２０に再生して更なる処理に備える。
【００８４】
ＷｉＦｉは近距離無線伝送技術に属し、携帯電話がＷｉＦｉモジュール９７０によってユーザーによる電子メールの送受信、ホームページのブラウジング及びストリーミングメディアのアクセス等に役立ち、ユーザーに無線ブロードバンドインターネットアクセスを提供する。図９にはＷｉＦｉモジュール９７０を示すが、それは携帯電話の必須構成ではなく、発明の本質を変えない範囲内に必要に応じて省略してもよい。
【００８５】
プロセッサ９８０は携帯電話の制御センターであり、様々なインターフェース及び回路を利用して携帯電話全体の各部分に接続され、メモリ９２０に記憶されるソフトウェアプログラム及び／又はモジュールを動作又は実行し、及びメモリ９２０に記憶されるデータを呼び出すことにより、携帯電話の様々な機能を実行し及びデータを処理し、それにより携帯電話を全体的に監視する。選択肢として、プロセッサ９８０は１つ又は複数の処理ユニットを備えてもよく、選択肢として、プロセッサ９８０はアプリケーションプロセッサ及びモデムプロセッサを統合してもよく、アプリケーションプロセッサは主にオペレーティングシステム、ユーザーインターフェース及びアプリケーション等を処理し、モデムプロセッサは主に無線通信を処理する。上記モデムプロセッサがプロセッサ９８０に統合されなくてもよいと理解される。
【００８６】
携帯電話は更に各部材に給電する電源９９０（例えば、電池）を備えてもよく、選択肢として、電源は電源管理システムによってプロセッサ９８０に論理的に接続されてもよく、それにより電源管理システムによって充電、放電、及び消費電力管理等の機能を実現する。
【００８７】
図示しないが、携帯電話は更にカメラ、ブルートゥースモジュール等を備えてもよく、ここで詳細な説明は省略する。
【００８８】
上記図４〜図６Ｂに示す実施例では、各ステップ方法における端末側のプロセスは該携帯電話の構造によって実現されてもよい。
【００８９】
上記図７Ａ、図７Ｂに示す実施例では、各ユニット機能は該携帯電話の構造によって実現されてもよい。
【００９０】
本発明の実施例は更にコンピュータ記憶媒体を提供し、該コンピュータ記憶媒体にプログラムが記憶されてもよく、該プログラムは実行される時に上記方法実施例に記載のいずれか１つの間欠受信ＤＲＸパラメータの設定方法のステップの一部又は全部を含む。
【００９１】
本発明の実施例に説明される方法又はアルゴリズムにおけるステップはハードウェアの方式で実現されてもよいし、プロセッサがソフトウェア命令を実行することで実現されてもよい。ソフトウェア命令は対応するソフトウェアモジュールで構成されてもよく、ソフトウェアモジュールがランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラム可能読み出し専用メモリ（ＥＰＲＯＭ：Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ：Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られる任意の他の形式の記憶媒体に記憶されてもよい。例示的な記憶媒体がプロセッサに結合されることにより、プロセッサは該記憶媒体から情報を読み取って、該記憶媒体へ情報を書き込むことができる。当然ながら、記憶媒体は更にプロセッサの構成部分であってもよい。プロセッサ及び記憶媒体がＡＳＩＣに位置してもよい。また、該ＡＳＩＣはゲートウェイ装置又はモビリティ管理ネットワーク要素に位置してもよい。当然ながら、プロセッサ及び記憶媒体は更に個別コンポーネントとしてゲートウェイ装置又はモビリティ管理ネットワーク要素に存在してもよい。
【００９２】
当業者であれば、上記１つ又は複数の例では、本発明の実施例に説明される機能はハードウェア、ソフトウェア、ファームウェア又はそれらの任意の組み合わせで実現されてもよいと理解される。ソフトウェアで実現されるとき、これらの機能をコンピュータ可読媒体に記憶され又はコンピュータ可読媒体における１つ又は複数の命令又はコードとして伝送されてもよい。コンピュータ可読媒体はコンピュータ記憶媒体及び通信媒体を含み、通信媒体は一箇所から他の箇所へコンピュータプログラムを容易に伝送できる任意の媒体を含む。記憶媒体は汎用又は専用コンピュータにアクセスできる任意の利用可能媒体であってもよい。
【００９３】
以上に説明された具体的な実施形態は本発明の実施例の目的、技術案及び有益な効果を更に詳しく説明したが、以上の説明は本発明の実施例の具体的な実施形態に過ぎず、本発明の実施例の保護範囲を制限するためのものではなく、本発明の実施例の技術案を基に行ったいかなる修正、等価置換、改良等は、いずれも本発明の実施例の保護範囲内に含まれるべきであると理解すべきである。
【図１】
0006911126.tif 000002
【図２】
0006911126.tif 000003
【図３】
0006911126.tif 000004
【図４】
0006911126.tif 000005
【図５】
0006911126.tif 000006
【図６Ａ】
0006911126.tif 000007
【図６Ｂ】
0006911126.tif 000008
【図７Ａ】
0006911126.tif 000009
【図７Ｂ】
0006911126.tif 000010
【図８Ａ】
0006911126.tif 000011
【図８Ｂ】
0006911126.tif 000012
【図９】
0006911126.tif 000013